(57)【要約】【課題】簡易な構成であり、且つ各利用者が利用する接続ポートの位置が分かりやすい什器を提供する。【解決手段】什器１は、隣り合って配置された複数の椅子１０と、隣り合う一方の椅子の領域Ｓ１と他方の椅子の領域Ｓ２とに跨って配置され、電子機器に給電可能な給電部３０Ａと、を備え、給電部３０Ａは、一方の椅子の領域Ｓ１と他方の椅子の領域Ｓ２とに跨って配置され、隣り合う複数の椅子１０の並び方向に沿う面部３１ｆを有し、面部３１ｆには、電子機器が接続される接続ポート３２，３３が、一方の椅子の領域Ｓ１及び他方の椅子の領域Ｓ２それぞれに設けられていることを特徴とする。【選択図】図１
2017217399.tif 000002
【特許請求の範囲】
【請求項１】
隣り合って配置された複数の椅子と、
電子機器に給電可能な給電部と、を備え、
前記給電部は、隣り合う一方の前記椅子の領域と他方の前記椅子の領域とに跨って配置されるとともに隣り合う複数の前記椅子の並び方向に沿う面部を有し、
該面部には、前記電子機器が接続される接続ポートが、前記一方の椅子の領域及び前記他方の椅子の領域にそれぞれ設けられていることを特徴とする什器。
【請求項２】
前記接続ポートは、
前記面部における前記一方の椅子の領域に設けられる第一の接続ポートと、
前記面部における前記他方の椅子の領域に設けられ、前記第一の接続ポートとは種類の異なる第二の接続ポートと、を有することを特徴とする請求項１に記載の什器。
【請求項３】
前記面部は、前記接続ポートが前記椅子に着座する着座者の着座方向の前方を向くように設けられていることを特徴とする請求項１または２に記載の什器。
【請求項４】
前記椅子は、
床面に設置される脚部と、
該脚部に支持された座部と、
前記座部に着座する着座者の背中を支持する背中支持面を有する背凭れと、を備え、
前記給電部は、前記背中支持面よりも着座方向の後方に配置されていることを特徴とする請求項１から３のいずれか一項に記載の什器。
【請求項５】
前記背凭れの前記着座方向の後方に配置され、パネル状をなしたパネル部材を備え、
前記給電部は、前記パネル部材に支持されていることを特徴とする請求項４に記載の什器。
【請求項６】
前記パネル部材は、前記椅子と連結されていることを特徴とする請求項５に記載の什器。
【請求項７】
前記パネル部材は、複数枚が隣接配置され、
前記パネル部材間に挟持され、前記給電部を支持する支持部材を、備えることを特徴とする請求項５または６に記載の什器。
【請求項８】
前記背凭れは、
前記座部の後部から上方に立ち上がるように設けられた背凭れベースと、
前記背凭れベースの前記着座方向の前方に配置され、前記前方に向かって膨らむ背当て部材と、を有することを特徴とする請求項４に記載の什器。
【請求項９】
前記背凭れベースの上端から上方に延びる支柱を備え、
前記給電部は、前記支柱上に設けられていることを特徴とする請求項８に記載の什器。
【請求項１０】
前記支柱は、前記背凭れベースに係止されていることを特徴とする請求項９に記載の什器。
【請求項１１】
前記給電部は、隣り合う前記椅子の前記背凭れに跨って設けられていることを特徴とする請求項４から１０のいずれか一項に記載の什器。
【請求項１２】
前記給電部は、隣り合う前記椅子の前記座部に跨って設けられていることを特徴とする請求項４から１１のいずれか一項に記載の什器。
【請求項１３】
前記椅子は、
着座者の肘を支持する肘掛け、を備え、
前記給電部は、隣り合う前記椅子の前記肘掛けに跨って設けられていることを特徴とする請求項１から１２のいずれか一項に記載の什器。
【発明の詳細な説明】
【技術分野】
【０００１】
本発明は、什器に関するものである。
【背景技術】
【０００２】
一般に、空港等の公共施設等の各種施設には、利用者が着座可能なソファー等の椅子が設置されている。このような椅子は、床面上に設けられる脚部と、脚部に支持された座部及び背凭れと、を備えている。
【０００３】
近年、出先においても、ノート型ＰＣ（パーソナルコンピュータ）、タブレット端末、携帯型電話端末、スマートフォン等の電子機器に装備された充電池を充電することに対する要求が高まっている。
このため、各種の施設、列車、自動車等の室内空間に設置された椅子の周辺等に、コンセントや、給電可能なＵＳＢ（Ｕｎｉｖｅｒｓａｌ  Ｓｅｒｉａｌ  Ｂｕｓ）コネクタ等が装備されつつある。
【０００４】
例えば、特許文献１には、床面に設置される脚体と、脚体に支持された座部と、脚体に支持され隣り合う座部の間に配置されたコンセントボックスと、を備え、コンセントボックスにコンセントが設けられた椅子が提案されている。コンセントとして、電源コンセント及び充電用ＵＳＢポートが上下にそれぞれ設けられている。
【先行技術文献】
【特許文献】
【０００５】
【特許文献１】特開２０１６−２４３１号公報
【発明の概要】
【発明が解決しようとする課題】
【０００６】
しかしながら、上記の特許文献１に記載の椅子では、電源コンセント及び充電用ＵＳＢポート等の接続ポートが上下に配置されているため、コンセントボックスを挟んで両側に着座する各着座者は、上下いずれの接続ポートを使用すればよいか分かりづらいという問題点がある。
さらに、各着座者が利用する接続ポートが分かりやすいように、各接続ポートをそれぞれ対応する椅子毎に配置すると、接続ポートが設けられた給電装置が椅子の数分必要になり、構成が複雑になるという問題点がある。
【０００７】
本発明は、上記事情に鑑みてなされたものであり、簡易な構成であり、且つ各利用者が利用する接続ポートの位置が分かりやすい什器を提供するものである。
【課題を解決するための手段】
【０００８】
本発明は、上記課題を解決するため、本発明は以下の手段を採用する。
すなわち、本発明に係る什器は、隣り合って配置された複数の椅子と、電子機器に給電可能な給電部と、を備え、前記給電部は、隣り合う一方の前記椅子の領域と他方の前記椅子の領域とに跨って配置されるとともに隣り合う複数の前記椅子の並び方向に沿う面部を有し、該面部には、前記電子機器が接続される接続ポートが、前記一方の椅子の領域及び前記他方の椅子の領域にそれぞれ設けられていることを特徴とする。
【０００９】
このように構成された什器では、電子機器に給電可能な給電部が配置されている。給電部には、隣り合う複数の椅子の並び方向に沿う面部が設けられている。面部には、電子機器に接続される接続ポートが複数設けられている。よって、一の面部に複数の接続ポートが設けられる構成であるため、面部を複数設けて該複数の面部に接続ポートをそれぞれ設ける構成よりも簡易な構成とすることができる。
また、給電部の面部は、一方の椅子の領域と他方の椅子の領域とに跨って配置されている。面部における一方の椅子の領域及び他方の椅子の領域にはそれぞれ接続ポートが設けられている。よって、着座者は、接続ポートにコンセント等を接続する際には、各着座者の椅子の領域にある接続ポートを利用すればよいため、自分が利用する接続ポートを見付けやすい。
【００１０】
また、本発明に係る什器では、前記接続ポートは、前記面部における前記一方の椅子の領域に設けられる第一の接続ポートと、前記面部における前記他方の椅子の領域に設けられ、前記第一の接続ポートとは種類の異なる第二の接続ポートと、を有していてもよい。
【００１１】
このように構成された什器では、着座者は、第一の接続ポートの種類と第二の接続ポートの種類とが異なる。よって、着座者は電子機器の電源プラグやコネクタの種類に応じて適切な接続ポートを選択できるため、充電の利便性を高めることができる。
【００１２】
また、本発明に係る什器では、前記面部は、前記接続ポートが前記椅子に着座する着座者の着座方向の前方を向くように設けられていることが好ましい。
【００１３】
このように構成された什器では、着座者が接続ポートに電源プラグや各種のコネクタを、座部の前方、つまり椅子の前面に対面した側から容易に接続することができる。
【００１４】
また、本発明に係る什器では、前記椅子は、床面に設置される脚部と、該脚部に支持された座部と、前記座部に着座する着座者の背中を支持する背中支持面を有する背凭れと、を備え、前記給電部は、前記背中支持面よりも着座方向の後方に配置されていてもよい。
【００１５】
このように構成された什器では、給電部は着座者の背中を支持する背中支持面よりも着座方向の後方に配置されているため、着座者の背中と給電部との間には前後方向の空間が形成される。よって、給電部が着座者の背中や後頭部等の身体の後部と接触することが抑制され、安全に充電することができる。
【００１６】
また、本発明に係る什器は、前記背凭れの前記着座方向の後方に配置され、パネル状をなしたパネル部材を備え、前記給電部は、前記パネル部材に支持されていてもよい。
【００１７】
このように構成された什器では、背凭れで着座者の背中を支持しつつ、背凭れの後方に配置されたパネル部材で給電部を安定的に支持することができる。
【００１８】
また、本発明に係る什器では、前記パネル部材は、前記椅子と連結されていてもよい。
【００１９】
このように構成された什器では、給電部を支持するパネル部材は椅子と連結されているため、着座者がパネル部材に荷重を加えた場合に、パネル部材は椅子とともに所定の強度を有する。よって、着座者は接続ポートを利用して、安全に充電することができる。
【００２０】
また、本発明に係る什器では、前記パネル部材は、複数枚が隣接配置され、前記パネル部材間に挟持され、前記給電部を支持する支持部材を、備えていてもよい。
【００２１】
このように構成された什器では、給電部を支持する支持部材は隣接するパネル部材の間に挟持されているため、支持部材の露出が抑制され、外観品質を向上させることができる。
【００２２】
また、本発明に係る什器では、前記背凭れは、前記座部の後部から上方に立ち上がるように設けられた背凭れベースと、前記背凭れベースの前記着座方向の前方に配置され、前記前方に向かって膨らむ背当て部材と、を有していてもよい。
【００２３】
このように構成された什器では、背凭れベースの着座方向の前方に配置され、前方に向かって膨らむ背当て部材に背中を支持させることができるため、快適に着座することができる。
また、背当て部材は前方に向かって膨らむ構成であるため、着座者の背中と空間形成体との間には前後方向の空間が形成される。よって、空間形成体の前側に配置された給電部が着座者の背中や後頭部等の身体の後部と接触することが抑制され、安全に充電することができる。
【００２４】
また、本発明に係る什器は、前記背凭れベースの上端から上方に延びる支柱を備え、前記給電部は、前記支柱上に設けられていてもよい。
【００２５】
このように構成された什器では、背凭れベースよりも上方に延びる支柱上に給電部が設けられているため、接続ポートが背凭れよりも上方に露出する。よって、接続ポートへの電源プラグや各種のコネクタの接続を容易かつ確実に行うことができる。
【００２６】
また、本発明に係る什器では、前記支柱は、前記背凭れベースに係止されていてもよい。
【００２７】
このように構成された什器では、支柱は背凭れベースの上端に係止して設ければよいので、組立性に優れる。
【００２８】
また、本発明に係る什器では、前記給電部は、隣り合う前記椅子の前記背凭れ及びに跨って設けられていてもよい。
【００２９】
このように構成された什器では、給電部は隣り合う椅子の背凭れに跨って設けられているため、着座者は接続ポートに電源プラグや各種のコネクタを背凭れの前面側から容易に接続することができる。
【００３０】
また、本発明に係る什器では、前記給電部は、隣り合う前記椅子の前記座部に跨って設けられていてもよい。
【００３１】
このように構成された什器では、給電部は隣り合う椅子の座部に跨って設けられているため、着座者は接続ポートに電源プラグや各種のコネクタを座部の前面側から容易に接続することができる。
【００３２】
また、本発明に係る什器では、前記椅子は、着座者の肘を支持する肘掛け、を備え、前記給電部は、隣り合う前記椅子の前記肘掛けに跨って設けられていてもよい。
【００３３】
このように構成された什器では、給電部は隣り合う椅子の肘掛けに跨って設けられているため、着座者は接続ポートに電源プラグや各種のコネクタを肘掛けの前面側から容易に接続することができる。
【発明の効果】
【００３４】
本発明に係る椅子によれば、簡易な構成であり、且つ各利用者は自分が利用する接続ポートの位置が見付けやすい。
【図面の簡単な説明】
【００３５】
【図１】本発明の第１の実施形態に係る什器の全体構成を示す斜視図である。
【図２】上記什器の側面図である。
【図３】互いに隣接するパネル部材どうしの間に設けられる支持部材及び支持部材に支持された給電部を示す斜視展開図である。
【図４】互いに隣接するパネル部材どうしの間に設けられた支持部材を示す断面図である。
【図５】互いに隣接するパネル部材どうしの間に挟持された支持部材を示す平面図である。
【図６】本発明の第２の実施形態に係る什器の全体構成を示す斜視図である。
【図７】上記什器の側面図である。
【図８】背凭れベース上に係止された支柱及び支柱に支持された給電部を示す斜視図である。
【図９】給電部を支持する支柱を斜め前方から見た斜視図である。
【図１０】給電部を支持する支柱を斜め後方から見た斜視図である。
【図１１】本発明の変形例１に係る什器を着座方向の前方から見た図である。
【図１２】本発明の変形例２に係る什器を着座方向の前方から見た図である。
【図１３】本発明の変形例３に係る什器を着座方向の前方から見た図である。
【図１４】本発明の変形例４に係る什器を斜め前方から見た斜視図である。
【発明を実施するための形態】
【００３６】
以下、添付図面を参照して、本発明に係る什器を実施するための形態を説明する。しかし、本発明はこれらの実施形態のみに限定されるものではない。
【００３７】
（第１の実施形態）
図１は、本発明の第１の実施形態に係る什器の全体構成を示す斜視図である。図２は、上記什器の側面図である。図３は、互いに隣接するパネル部材同士の間に設けられる支持部材及び支持部材に支持された給電部を示す斜視展開図である。図４は、互いに隣接するパネル部材どうしの間に設けられた支持部材を示す断面図である。図５は、互いに隣接するパネル部材どうしの間に挟持された支持部材を示す平面図である。
図１、図２に示すように、ソファーユニット（什器）１は、着座可能な複数のソファー（椅子）１０と、各ソファー１０の背面側に一体的に設けられたパネル体（パネル部材）２０と、給電装置（給電部）３０Ａと、を備えている。
以下の説明において、便宜上、ソファー１０に着座した着座者が前を向く方向を着座方向とし、着座方向の前方を単に「前方」、その反対方向を「後方」と称する。また、ソファー１０が設置される床面Ｆ側とその反対側を結ぶ方向を「上下方向」と称する。また、ソファー１０の幅方向、つまり前後方向と直交する水平方向を「幅方向」と称する。また、図中において、前方を矢印ＦＲで示し、上方を矢印ＵＰで示し、幅方向（並び方向）の左方を矢印ＬＨで示す。
【００３８】
（ソファー）
本実施形態では、ソファーユニット１は、互いに隣接配置された２個のソファー１０を備えている。各ソファー１０は、床面Ｆ上に設置される支持体２と、支持体２に支持され着座者の背を受ける背凭れ１４とを有している。
【００３９】
支持体２は、上方に向かって延びる４本の脚部１１と、これら脚部１１に支持された座部１２と、を有している。
【００４０】
脚部１１、ソファー１０の前後方向および幅方向に間隔を有して４本設けられている。これら脚部１１の上端は、座部１２の下面に取り付けられている。座部１２の上面は、利用者が着座可能な座面１２ｕとされている。
【００４１】
背凭れ１４は、背凭れベース１６と、クッション（背当て部材）１７と、を備えている。
背凭れベース１６は、鉛直面内に位置する板状で、下部が座部１２の後部に連結されて、座部１２の座面１２ｕよりも上方に向かって突出するよう延びている。ここで、背凭れベース１６は、着座者による荷重に耐えうるよう、所要の強度を有した材料、例えば、木系材料、樹脂系材料、金属系材料、あるいはこれらを組み合わせた複合材料等の硬質材料から形成されている。
【００４２】
クッション１７は、背凭れベース１６の前方に沿って配置されている。クッション１７は、背凭れベース１６よりも柔軟で、例えば布やビニール素材のカバー１７ａ内に、スポンジ、ウレタン等の軟質材料からなる各種クッション材が充填されている。クッション１７の前面（背中支持面）１７ｆは、前方に向かって膨らむ形状をなしている。なお、このクッション１７は、図１、図２に図示した形状に限らず、いかなる形状であってもよい。
【００４３】
（パネル体）
本実施形態では、ソファー１０の背凭れ１４の背面に沿って、２枚のパネル体２０が隣接配置されている。
図２に示すように、パネル体２０は、パネル状の基体２１の両面に、柔軟性および弾性を有した材料、例えば発泡ウレタン材等からなるクッション材２２と、基材およびクッション材２２を覆う表皮材２３と、を備えている。
【００４４】
基体２１の外周部には、フレーム２４が設けられている。フレーム２４は、パネル体２０の外周部に沿って周方向に連続し、パネル体２０の内方に向けて窪んだ溝２４ｍを有している。隣接配置されたパネル体２０において、隣接する溝２４ｍ間は、後述する外部電力源（不図示。以下同じ。）に通線される給電ケーブル３５を収容可能な配線収容部Ｃ１とされている。
【００４５】
パネル体２０の下部は、Ｌ字状のジョイント金具２６を介し、ソファー１０の座部１２の下面に連結されている。また、図１に示すように、パネル体２０の上下方向の中間部は、パネル体２０の前面に設けられた下向きコ字状の係止フック２７が、ソファー１０の背凭れベース１６の上端１６ｔに係止されることで固定されている。
これにより、パネル体２０は、ソファー１０の背凭れベース１６の後方に沿うようにしてソファー１０と一体に設けられている。また、パネル体２０は、背凭れベース１６よりも上方に延出して設けられている。
【００４６】
図３、図４に示すように、上記したようなパネル体２０の下部のコーナー部には、床面Ｆに接地することで、パネル体２０を床面Ｆ上に立設させる支持脚体２５が設けられている。
支持脚体２５は、フレーム２４の下部端部に収容される基部２５ａと、基部２５ａから下方に延びる支持脚部２５ｂと、を一体に備えている。また、支持脚体２５には、支持脚部２５ｂに対してパネル体２０の幅方向外側に、下方およびパネル体２０の幅方向外側に開口したスリット２５ｓが形成されている。図４に示すように、このスリット２５ｓ内には、上方に窪んだ凹部２５ｔが形成されている。
【００４７】
パネル体２０の上部２０ｕは、背凭れベース１６よりも上方に延びている。
【００４８】
図１及び図２に示すように、パネル体２０により、該パネル体２０よりも前方には、各ソファー１０に着座した利用者の着座空間Ｓが形成されている。パネル体２０よりも前方において、隣接するソファー１０間の境界部Ｓ０よりも一方のソファー１０側は該一方のソファー１０を利用する着座者の第一着座空間（一方の椅子の領域）Ｓ１とされ、境界Ｓ０よりも他方のソファー１０側は該他方のソファー１０を利用する着座者の第二着座空間（他方の椅子の領域）Ｓ２とされている。換言すると、第一着座空間Ｓ１及び第二着座空間Ｓ２は、境界部Ｓ０を挟んで隣接配置されている。
【００４９】
（給電装置）
図１〜図３に示すように、給電装置３０Ａは、各ソファー１０に着座した利用者が、電子機器の充電等を行う際に利用することができるものである。図３に示すように、給電装置３０Ａは、装置本体３１を備えている。
【００５０】
装置本体３１の前面（面部）３１ｆは、ソファー１０の幅方向（並び方向）に沿って延びている。前面３１ｆは、上方から下方に向かうにしたがって次第に前方に傾斜している。前面３１ｆは、境界部Ｓ０を挟んで、左右対称に形成されている。換言すると、前面６１ｆは、境界部Ｓ０を挟んで、第一着座空間Ｓ１及び第二着座空間Ｓ２に跨って、正面視において隣接するソファー１０の縁部に跨って形成されている。
【００５１】
装置本体３１の前面（面部）３１ｆは、電子装置の電源プラグが接続可能なコンセント接続ポート（接続ポート）３２や、ＵＳＢケーブルの端部に設けられたコネクタが接続可能なコネクタ接続ポート（接続ポート）３３を備えている。
【００５２】
この実施形態において、コンセント接続ポート３２及びコネクタ接続ポート３３は、装置本体３１の幅方向中心に対し、幅方向一方の側と他方の側とにそれぞれ左右対称に設けられている。詳細には、コンセント接続ポート３２及びコネクタ接続ポート３３は、境界部Ｓ０を挟んで、第一着座空間Ｓ１及び第二着座空間Ｓ２のそれぞれに設けられている。
【００５３】
図３に示すように、装置本体３１は、支持部材４０に支持されている。支持部材４０は、杆体４１と、固定金具４２と、ステー４３と、受け台４４と、を一体に備えている。
【００５４】
図３、図５に示すように、杆体４１は、平断面視矩形状の筒状をなしている。杆体４１は、互いに隣接するパネル体２０の間に挟み込まれて配置される。具体的には、杆体４１は、互いに隣接するパネル体２０の側端部に形成された溝２４ｍ，２４ｍ内に収容され、水平方向への移動が拘束されている。杆体４１の内部は、外部電力源（不図示。以下同じ。）に通線される給電ケーブル３５が挿通される配線挿通部Ｃ２とされている。
【００５５】
図３、図４に示すように、固定金具４２は、杆体４１の下端部に設けられている。固定金具４２は、パネル体２０の表面に沿って幅方向両側に突出する係合片４２ａ，４２ａを有している。各係合片４２ａは、上方に突出する凸部４２ｂを有している。
固定金具４２は、支持脚体２５に形成されたスリット２５ｓ内に下方から挿入され、凸部４２ｂがスリット２５ｓの凹部２５ｔに係合した状態で、固定金具４２と支持脚体２５とが、ボルト４５により締結される。
これにより、支持部材４０は、上下方向への移動が拘束されている。
【００５６】
図３に示すように、ステー４３は、杆体４１の上部において、杆体４１の幅方向中央部から前方に向かって突出するよう設けられている。
図５に示すように、ステー４３は、互いに隣接するパネル体２０の溝２４ｍ内で杆体４１が挟持された状態で、パネル体２０の隙間から前方に突出するよう設けられている。図２に示すように、ステー４３は、ソファー１０の背凭れベース１６の上端よりも上方に位置するよう設けられている。
【００５７】
受け台４４は、水平面内に位置するよう、ステー４３の上面に設けられている。受け台４４は、パネル体２０に対して前方のソファー１０側に張り出し、背凭れベース１６の上方に配置される。
装置本体３１は、この受け台４４上に固定されている。この状態で、装置本体３１に設けられたコンセント接続ポート３２及びコネクタ接続ポート３３は、各ソファー１０の前方を向くよう設けられている。
換言すると、装置本体３１は、パネル体２０の上部２０ｕにおいて、前面２０ｆに沿って配置されている。また、装置本体３１は、クッション１７の前面１７ｆよりも後方に配置されている。
【００５８】
このように構成されたソファーユニット１では、電子機器に給電可能な給電装置３０Ａが配置されている。給電装置３０Ａには、隣り合う複数のソファー１０の並び方向（ソファー１０の幅方向）に沿う前面３１ｆが設けられている。前面３１ｆには、電子機器に接続されるコンセント接続ポート３２及びコネクタ接続ポート３３が複数設けられている。よって、一の前面３１ｆに複数のコンセント接続ポート３２及びコネクタ接続ポート３３が設けられる構成であるため、前面３１ｆを複数設けて該複数の前面３１ｆにコンセント接続ポート３２及びコネクタ接続ポート３３をそれぞれ設ける構成よりも簡易な構成とすることができる。
【００５９】
また、給電装置３０Ａの前面３１ｆは、一方のソファー１０の領域と他方のソファー１０の領域とに跨って配置されている。前面３１ｆにおける一方のソファー１０の領域には一のコンセント接続ポート３２及びコネクタ接続ポート３３が設けられ、前面３１ｆにおける他方のソファー１０の領域には他のコンセント接続ポート３２及びコネクタ接続ポート３３が設けられている。よって、着座者は、コンセント接続ポート３２及びコネクタ接続ポート３３にコンセント等を接続する際には、各着座者のソファー１０の領域にあるコンセント接続ポート３２及びコネクタ接続ポート３３を利用すればよいため、自分が利用するコンセント接続ポート３２及びコネクタ接続ポート３３を見付けやすい。
【００６０】
また、着座者がコンセント接続ポート３２及びコネクタ接続ポート３３に電源プラグや各種のコネクタを、座部１２の前方、つまりソファー１０の前面に対面した側から容易に接続することができる。
【００６１】
また、給電装置３０Ａは着座者の背中を支持するクッション１７の前面１７ｆよりも後方に配置されているため、着座者の背中と給電装置３０Ａとの間には前後方向の空間が形成される。よって、給電装置３０Ａが着座者の背中や後頭部等の身体の後部と接触することが抑制され、安全に充電することができる。
【００６２】
また、背凭れ１４で着座者の背中を支持しつつ、背凭れ１４の後方に配置されたパネル体２０で給電装置３０Ａを安定的に支持することができる。
【００６３】
また、給電装置３０Ａを支持するパネル体２０はソファー１０と連結されているため、着座者がパネル体２０に荷重を加えた場合に、パネル体２０はソファー１０とともに所定の強度を有する。よって、着座者はコンセント接続ポート３２及びコネクタ接続ポート３３を利用して、安全に充電することができる。
【００６４】
また、給電装置３０Ａを支持する支持部材４０は隣接するパネル体２０の間に挟持されているため、支持部材４０の露出が抑制され、外観品質を向上させることができる。
【００６５】
また、着座者は、背凭れベース１６の前方に配置され、前方に向かって膨らむクッション１７に背中を支持させることができるため、快適に着座することができる。
【００６６】
また、クッション１７は前方に向かって膨らむ構成であるため、着座者の背中とパネル体２０との間には前後方向の空間が形成されるため、パネル体２０の前側に配置された給電装置３０Ａが着座者の背中や後頭部等の身体の後部と接触することが抑制され、安全に充電することができる。
【００６７】
（第２の実施形態）
次に、本発明に係る椅子の第２の実施形態について説明する。なお、以下に説明する第２の実施形態及び変形例１〜４においては、上記第１の実施形態と共通する構成については図中に同符号を付してその説明を省略する。
図６は、本発明の第２の実施形態に係る什器の全体構成を示す斜視図である。図７は、上記什器の側面図である。図８は、背凭れベース上に係止された支柱及び支柱に支持された給電部を示す斜視図である。図９は、給電部を支持する支柱を斜め前方から見た斜視図である。図１０は、給電部を支持する支柱を斜め後方から見た斜視図である。
図６、図７に示すように、ソファーユニット１Ａは、着座可能な複数のソファー１０と、パネル体２０と、給電装置（給電部）３０Ｂと、を備えている。
【００６８】
給電装置３０Ｂは、装置本体３１を備えている。装置本体３１は、支柱５０に支持されている。
【００６９】
図８〜図１０に示すように、支柱５０は、支持ブラケット５１と、受け台５２と、脚部カバー５３と、を備えている。
【００７０】
支持ブラケット５１は、支柱部５４（図１０参照）と、支柱部５４から下方に延出した延出部５５と、を一体に有している。
図１０に示すように、支柱部５４は、鉛直面内に位置する板状の基部５４ａと、基部５４ａの幅方向両側から前方に延びる側壁部５４ｂとを有して、平断面視前向きコ字状をなしている。基部５４ａの下端部には、装置本体３１から導出される給電ケーブル３５を通す凹部５４ｃが形成されている。
図８〜図１０に示すように、延出部５５は、支柱部５４の基部５４ａから連続して下方に延出するプレート部５５ａと、プレート部５５ａの幅方向一端から直交して前方に延出する直交片５５ｂと、を有した平断面視Ｌ字状をなしている。
【００７１】
図１０に示すように、受け台５２は、支持ブラケット５１の支柱部５４上に、水平面内に位置するよう設けられている。受け台５２には、上下方向に貫通し、支柱部５４の基部５４ａと側壁部５４ｂ，５４ｂとに囲まれた空間に連通する開口部５２ａが形成されている。
【００７２】
受け台５２上に設置される装置本体３１には、下方に向かって延び、開口部５２ａに挿入される挿入片３１ａが一体に設けられている。挿入片３１ａには、上下方向に連続するスリット３６と、挿入片３１ａの幅方向両側から前方に延び、支柱部５４の側壁部５４ｂ，５４ｂに沿うサポート壁３７，３７とが形成されている。
装置本体３１は、挿入片３１ａを開口部５２ａから支柱部５４の内側に挿入した状態で、支柱部５４の後方から、支柱部５４に形成された貫通孔５４ｈ及びスリット３６にビス５６を挿通させ、このビス５６にナット５７を螺着させることで、支持ブラケット５１に固定される。
【００７３】
脚部カバー５３は、支持ブラケット５１の支柱部５４を前方から覆う前面部５３ａと、前面部５３ａの幅方向両側から後方に向かって延び、支柱部５４の側壁部５４ｂを幅方向外側から覆う側面部５３ｂ，５３ｂとを一体に有している。また、脚部カバー５３の前面部５３ａの背面側には、前面部５３ａと前後方向に間隔をあけて配置された固定プレート部５３ｃが設けられている。
このような脚部カバー５３は、支柱部５４の内側に挿入された挿入片３１ａに固定プレート部５３ｃを対向させた状態で、支柱部５４に形成された貫通孔５４ｇ、及びスリット３６にビス５８を挿通させ、このビス５８を固定プレート部５３ｃにねじ込むことで、支持ブラケット５１に固定される。
なお、固定プレート部５３ｃには、前記のナット５７及びビス５６の先端部を収容する開口部５３ｈが形成されている。
【００７４】
図６、図８に示すように、このような支柱５０は、互いに隣接するソファー１０，１０の境界部に配置され、支持ブラケット５１の延出部５５のプレート部５５ａを、一方のソファー１０の背凭れベース１６の背面に沿わせ、直交片５５ｂを、互いに隣接するソファー１０，１０の背凭れベース１６，１６の間に差し込んだ状態で、図示しないビスによって背凭れベース１６に固定される。この状態で、図１０に示した支柱部５４は、背凭れベース１６の上端１６ｔ上に載置される。また、給電ケーブル３５は、凹部５４ｃを通して背凭れベース１６の後方に導出される。
また、支柱５０が設けられた背凭れベース１６の後方には、背凭れベース１６を後方から覆うようにパネル体２０が設けられている。
【００７５】
このようにして設けられた支柱５０の受け台５２上に設置された装置本体３１は、背凭れベース１６の上方に配置されている。この状態で、装置本体３１に形成されたコンセント接続ポート３２及びコネクタ接続ポート３３は、各ソファー１０の前方を向くよう設けられている。
【００７６】
このように構成されたソファーユニット１Ａでは、背凭れベース１６よりも上方に延びる支柱５０上に給電装置３０Ｂが設けられているため、コンセント接続ポート３２及びコネクタ接続ポート３３が背凭れ１４よりも上方に露出する。よって、コンセント接続ポート３２及びコネクタ接続ポート３３への電源プラグや各種のコネクタの接続を容易かつ確実に行うことができる。
【００７７】
また、支柱５０は背凭れベース１６の上端に係止して設ければよいので、組立性に優れる。
【００７８】
（変形例）
また、本発明は上記に示す実施形態に限られず、種々の変形例に適用可能である。
例えば、上記に示す第１の実施形態及び第２の実施形態では、給電装置３０Ａ，３０Ｂは、背凭れ１４の上方に設けられている。一方、図１１に示す変形例１では、給電装置３０Ｃは、背凭れ１４の上部に設けられている。あるいは、給電装置３０Ｃは、背凭れ１４の下部（且つ座部１２よりも上方）に設けられていてもよい。給電装置３０Ｃは、背凭れ１４の前面に、不図示の取付手段（ブラケットを介して固定、背凭れ１４に直接ビス固定等）により固定されている。
【００７９】
また、図１２に示す変形例２では、給電装置３０Ｄは、座部１２の直下に設けられている。あるいは、座部１２から下方に延びる支持部（不図示。以下同じ。）が設けられ、この支持部に給電装置３０Ｄが取り付けられることで、給電装置３０Ｄが座部１２の下方に設けられる構成であってもよい。
【００８０】
また、図１３に示す変形例３では、ソファー１０には着座者の肘を支持する肘掛け１９が設けられ、当該肘掛け１９の直下に給電装置３０Ｅが設けられている。あるいは、給電装置３０Ｅは、肘掛け１９の下部や全面等に設けられていてもよい。
【００８１】
また、図１４に示す変形例４では、ソファーユニット１Ｂにおいて、隣接するソファー１０が一体として形成され、境界部Ｓ０に沿って凹みが形成されている。この境界部Ｓ０を跨るように給電装置３０Ｆが配置されていてもよい。給電装置３０Ｆは、背凭れ１４に設けられて不図示凹部に埋め込まれ、前面３１ｆが背凭れ１４の前面に沿って配置されている。
【００８２】
これら場合も、給電装置３０Ｃ〜３０Ｆの前面３１ｆにおいて、コンセント接続ポート３２が、第一着座空間Ｓ１及び第二着座空間Ｓ２にそれぞれ対応する位置に設けられている。よって、着座者はコンセント接続ポート３２に電源プラグや各種のコネクタを背凭れ１４の前方、座部１２の前方及び肘掛け１９の前方等から容易に接続することができる。
【００８３】
（その他の実施形態）
なお、本発明の椅子は、図面を参照して説明した上述の各実施形態に限定されるものではなく、その技術的範囲において様々な変形例が考えられる。
例えば、椅子として、ソファーユニット１，１Ａを示したが、それらの外観や形状については何ら限定するものではなく、適宜他の構成に変更可能である。
また、給電装置３０Ａ〜３０Ｂの外観、形状についても、何ら限定するものではない。さらに、給電装置３０Ａ〜３０Ｂに、コンセント接続ポート３２やコネクタ接続ポート３３を設けるようにしたが、その種類、設置数等は適宜変更することが可能である。
また、コンセント接続ポート３２及びコネクタ接続ポート３３は、給電装置３０Ａ等の前面３１ｆにおける第一着座空間Ｓ１及び第二着座空間Ｓ２のそれぞれに設けられているが、給電部の面部における一方の椅子の領域には第一の接続ポートが設けられ、給電部の面部における他方の椅子の領域には第二の接続ポートが設けられ、第一の接続ポートと第二の接続ポートとの種類が異なっていてもよい。例えば、給電部の面部における一方の椅子の領域には接続ポートとしてコンセント接続ポートのみが設けられ、給電部の面部における他方の椅子の領域には接続ポートとしてコネクタ接続ポートのみが設けられていてもよい。この構成では、着座者は電子機器の電源プラグやコネクタの種類に応じて適切な接続ポートを選択できるため、充電の利便性を高めることができる。
また、支持体２は、脚部１１と座部１２とを有し、座部１２は脚部１１を介して床面Ｆ状に設置するようにしたが、支持体が脚部を有さずに座部自体を床面上に直に設置するようにしてもよい。
これ以外にも、本発明の主旨を逸脱しない限り、上記実施の形態で挙げた構成を取捨選択したり、他の構成に適宜変更したりすることが可能である。
【符号の説明】
【００８４】
１，１Ａ  ソファーユニット（什器）
１０  ソファー（椅子）
１１  脚部
１２  座部
１４  背凭れ
１６  背凭れベース
１７  クッション（背当て部材）
１７ｆ  クッションの前面（背中支持面）
２０  パネル体（パネル部材）
３０Ａ〜３０Ｆ  給電装置（給電部）
３１  装置本体
３１ｆ  装置本体の前面（面部）
３２  コンセント接続ポート（接続ポート）
３３  コネクタ接続ポート（接続ポート）
３５  給電ケーブル
４０  支持部材
５０  支柱
Ｃ１  配線収容部
Ｃ２  配線挿通部
Ｓ  着座空間
Ｓ１  第一着座空間（一方の椅子の領域）
Ｓ２  第二着座空間（他方の椅子の領域）
Ｆ  床面
【図１】
2017217399.tif 000003
【図２】
2017217399.tif 000004
【図３】
2017217399.tif 000005
【図４】
2017217399.tif 000006
【図５】
2017217399.tif 000007
【図６】
2017217399.tif 000008
【図７】
2017217399.tif 000009
【図８】
2017217399.tif 000010
【図９】
2017217399.tif 000011
【図１０】
2017217399.tif 000012
【図１１】
2017217399.tif 000013
【図１２】
2017217399.tif 000014
【図１３】
2017217399.tif 000015
【図１４】
2017217399.tif 000016